(57)【要約】【課題】有線接続された無線機本体とハンドセットに、子機やハンズフリー端末装置を増設する必要が生じた場合、それを勘弁かつ安価に実現することができるようにした車載無線機を提供する。【解決手段】ハンドセット４は、将来に子機６やハンズフリー端末装置７を増設した場合を見込んで、これらの子機６やハンズフリー端末装置７からの音声やデータを中継する機能を有する中継制御部１７と、増設した子機６やハンズフリー端末装置７との間でのワイヤレス通信が可能な小電力無線装置２２とを設けている。【選択図】図４
2008300960.tif 000002
【特許請求の範囲】
【請求項１】
基地局との間で無線通信を行う無線機本体と、この無線機本体に有線接続したハンドセットとを備え、前記無線機本体で送受信する音声やデータを前記ハンドセットで入力および再生するように構成した車載無線機において、前記ハンドセット内に、ワイヤレス通信による音声やデータを前記無線機本体に中継する中継機能を有する中継制御部と、増設する子機やハンズフリー端末装置との間でのワイヤレス通信を行う小電力無線装置を設けたことを特徴とする車載無線機。
【発明の詳細な説明】
【技術分野】
【０００１】
本発明は、無線機本体に有線接続したハンドセットを有する車載無線機に関する。
【背景技術】
【０００２】
従来の無線通信システムは、図１を兼用して示すように基地局１との間で、人が携帯して使用する複数の携帯用端末装置２ａ，２ｂと、車両に搭載した車載無線端末装置３ａ，３ｂとが通信可能に構成されている。この車載無線機３ａ，３ｂにおいては、音声およびデータの入出力機能を具備したハンドセットと無線機本体とが有線によって接続することにより通信を行うようにしている（例えば、特許文献１を参照）。
【０００３】
【特許文献１】特開２００７−５８４８号公報
【発明の開示】
【発明が解決しようとする課題】
【０００４】
しかし、従来の車載無線機では、子機やハンズフリー端末装置の追加の必要が生じた場合、その都度、それらの使用を可能とするために車載無線機の本体を再開発しなければならず、この再開発に期間および費用がかかるという問題があった。また同時に接続端子などの大型部品の追加が必要になるため、車載無線機の本体が大型になってしまうという心配がある。
【０００５】
本発明の目的は、子機やハンズフリー端末装置の増設を簡便かつ安価に実現することができるようにした車載無線機を提供することにある。
【課題を解決するための手段】
【０００６】
本発明による車載無線機は上記目的を達成するために、基地局との間で無線通信を行う無線機本体と、この無線機本体に有線接続したハンドセットとを備え、前記無線機本体で送受信する音声やデータを前記ハンドセットで入力および再生するように構成した車載無線機において、前記ハンドセット内に、ワイヤレス通信による音声やデータを前記無線機本体に中継する中継機能を有する中継制御部と、増設する子機やハンズフリー端末装置との間でのワイヤレス通信を行う小電力無線装置を設けたことを特徴とする。
【発明の効果】
【０００７】
本発明による車載無線機は、車載無線端末装置に有線接続されたハンドセット内に、ワイヤレス通信が可能な小電力無線装置と、中継機能を有する中継制御部を設けているため、子機やハンズフリー端末装置の増設が必要になった場合、これらの子機やハンズフリー端末装置にもハンドセットの小電力無線装置との間でワイヤレス通信が可能な小電力無線装置を搭載させるだけで、無線機本体側を新たに開発することなくハンドセットと子機やハンズフリー端末装置間でのワイヤレス通信が可能となり、増設を簡便かつ安価に実現できるようになる。従って、従来に比べて開発期間の短縮、開発コストの低減が可能である。
【発明を実施するための最良の形態】
【０００８】
以下、本発明の実施の形態を図面に基づいて説明する。
図１は、本発明の一実施の形態による無線通信システムを示すブロック構成図である。
無線通信システムは、人が携帯して使用する携帯用無線端末装置２ａ，２ｂや、救急車などの車両に搭載して使用する車載無線端末装置３ａ，３ｂ等が、基地局１を介して通信を行うように構成されている。この無線通信システムにおける車載無線端末装置３ａ，３ｂは、図２に示したように無線機本体３と、後述するように中継機能付き小電力無線装置内蔵のハンドセット４と、小電力無線装置内蔵の子機６と、小電力無線装置内蔵のハンズフリー端末装置７等から成り、無線機本体３とハンドセット６間は有線５で接続され、この有線８を介して音声データのコーディングおよび送受信を行っている。一方、ハンドセット５と子機６およびハンズフリー端末装置７間はワイヤレス通信となっている。
【０００９】
図３は、無線機本体４およびハンドセット５の具体的な構成例を示すブロック構成図である。
無線機本体３には通信制御部１４および携帯無線機接続認識部１５を有する携帯無線機収容部８が形成され、この携帯無線機収容部８には脱着可能な携帯無線機９が収納されている。この携帯無線機９は操作部１０、制御部１１、マイクロホン１２、スピーカ１３などを有し、伝送路２３によって無線機制御部１６などで示す無線機機能と接続されている。携帯無線機収容部８に設けた通信制御部１４は、携帯無線機９の制御部１１と無線機制御部１６間の通信を行い、また携帯無線機収容部８に設けた携帯無線機接続認識部１５は、携帯無線機９が携帯無線機収容部８に収納された状態か取り外されて使用状態であるかを検出して制御部１６に通知している。
【００１０】
一方、ハンドセット４は、無線機本体３に有線５によって接続され、中継かハンドセット自体の操作の制御を行うと共に、詳細を後述する中継を判別して中継のための制御を行う中継制御部１７と、スピーカ１８と、ＬＣＤ１９と、送信を行なうためのプレススイッチやダイヤル発信を行なうためのキーボタンから成り車載無線機の発信および受信に必要な操作を行なう入力キー２０と、通話の入出力を行なうために必要なマイクロホン２１と、Ｂｌｕｅｔｏｏｔｈ等の小電力無線装置２２とを有している。
【００１１】
携帯無線機接続認識部１５は、携帯無線機９が携帯無線機収容部８に収容された状態であることを検出し、車載無線機の無線機制御部１６に検出結果を伝送する。この検出結果を受信した無線機制御部１６は、検出結果により、通信制御部１４を介して携帯無線機９の制御部１１に収容状態信号を伝送し、制御部１１内のメモリ部に記憶されている固有情報の一致の有無を検出し、検出結果に基づいて携帯無線機本体３の空中線からの電波の発射を禁止すると共に、車載無線機の空中線からの電波の発射を許可する。これによって車載無線機本体３に接続されたハンドセット４が使用可能となり、車載無線機の送受信動作のために入力キー２０の必要な操作が実行できるようになる。また同時に、通話を行なうために必要なマイクロホン２１、スピーカ１８などから音声を入出力することができるようになる。
【００１２】
一方、携帯無線機９が携帯無線機収容部８から取り外された場合、携帯無線機接続認識部１５は、携帯無線機９が携帯無線機収容部８から取り外されたことを検出し、この検出結果を車載無線機の無線機制御部１６に伝送する。この検出結果を受信した無線機制御部１６は、無線機本体３の空中線からの電波の発射を禁止する。一方、携帯無線機９の制御部１１は、携帯無線機９からの電波の発射を許可し、携帯無線機９が有する操作部１０、マイクロホン１２およびスピーカ１３などを使用して、携帯無線機９からの通信に必要な発信操作および通話等を行なうことができるようになる。
【００１３】
このような構成の車載無線機は、救急車などに搭載されて業務用無線として使用されるが、通常の使用形態の他に、例えば、運転席側と治療室側との間で通信を行う他の使用形態がある。このためにハンドセット４と通信可能な子機６またはハンズフリー端末装置７を使用する。次に、この構成について図４に示したブロック構成図を用いて説明する。
【００１４】
この車載無線機のハンドセット４は、将来におけるこのような増設を見込んで構成している。つまり、上述したようにハンドセット４は、将来に子機やハンズフリー端末装置を増設した場合を見込んで、これらの子機やハンズフリー端末装置からの音声やデータを中継する機能を有する中継制御部１７と、増設した子機やハンズフリー端末装置との間でのワイヤレス通信が可能な小電力無線装置２２とを設けている。この中継制御部１７は上述した制御の他に子機６またはハンズフリー端末装置７からのワイヤレス通信信号を検出して、子機６またはハンズフリー端末装置７との間での通信を中継するようにしている。
【００１５】
このようなハンドセット４の使用と同時に付設したり、将来、増設することになる子機６は、制御部２３と、スピーカ２４と、ＬＣＤ２５と、入力キー２６と、マイク２７と、Ｂｌｕｅｔｏｏｔｈ等の小電力無線装置２８とを有しており、この小電力無線装置２８によってハンドセット４の小電力無線装置２２との間でワイヤレス通信可能に構成している。またハンズフリー端末装置７も同様に、制御部２９と、スピーカ３０と、ＬＣＤ３１と、入力キー３２と、マイク３３と、Ｂｌｕｅｔｏｏｔｈ等の小電力無線装置３４とを有しており、この小電力無線装置３４によってハンドセット４の小電力無線装置２２との間でワイヤレス通信可能に構成している。
【００１６】
上述したように予めハンドセット４として、中継制御部１７および小電力無線装置２２を付加しているため、必要に応じて子機６およびハンズフリー端末装置７の追加が簡単に行える。ハンドセット４では、これまでと同様の入力キー２０やマイクロホン２１によるデータや音声の入出力に加え、子機６およびハンズフリー端末装置７間でのワイヤレス通信、無線機本体３と子機６およびハンズフリー端末装置７間の中継通信が可能となる。
【００１７】
無線機本体３が受信し復調した音声やデータは、有線５によって接続されたハンドセット４の中継制御部１７により中継し、その後、小電力無線装置２２からワイヤレス通信を介して子機６およびハンズフリー端末装置７で再生することができる。また、子機６またはハンズフリー端末装置７で、ＬＣＤ２５，３１、入力キー２６，３２、マイクロホン２７，３３により入力された音声やデータが、小電力無線装置２８，３４からワイヤレス送信すると、これをハンドセット５の小電力無線装置２２が受信する。ハンドセット５内に設けた中継制御部５ｄによって判別され、その中継機能によって無線機本体４に中継され、無線機本体４で変調、送信が行われる。
【００１８】
このようなハンドセット４を有した車載無線機は、救急車などに搭載されて業務用無線として使用され、例えば、運転席側と治療室側との間で通信を行うために子機６またはハンズフリー端末装置７の追加が必要になった場合でも、従来のように無線機本体を新たに開発したり設計を行うことなく、上述したようにハンドセット４との間でワイヤレス通信可能な構成の子機６またはハンズフリー端末装置７の追加するだけで良いから、その増設作業を簡単に行うことができる。しかも、従来のように無線機本体の新たな開発や設計が不要であることから安価に構成することができる。
【産業上の利用可能性】
【００１９】
本発明による車載無線機は、図３に示した構成に限らずその他の構成のものにも適用することができる。
【図面の簡単な説明】
【００２０】
【図１】本発明による車載無線機を使用した無線通信システムを示す概略構成図である。
【図２】本発明の一実施の形態による車載無線機を示すブロック構成図である。
【図３】図２に示した車載無線機の要部を示すブロック構成図である。
【図４】図２に示した車載無線機の他の要部を示すブロック構成図である。
【符号の説明】
【００２１】
１    基地局
２ａ，２ｂ    携帯用無線端末装置
３ａ，３ｂ    車載無線機
３    無線機本体
４    ハンドセット
５    有線
６    子機
７    ハンズフリー端末装置
１７    中継制御部
２２，２８，３４    小電力無線装置
【図１】
2008300960.tif 000003
【図２】
2008300960.tif 000004
【図３】
2008300960.tif 000005
【図４】
2008300960.tif 000006